(57)【要約】【課題】隙間なく詰められた物品を簡単な手順で容易に取り出すことができる段ボール箱を提供する。【解決手段】胴部を形成する側板１に稜罫線２ａを介して蓋フラップ２が連設された段ボール箱において、側板１と蓋フラップ２とに及ぶ２本の切込６と、２本の切込６の側板１に位置する端部を結ぶ側端折線７と、２本の切込６の蓋フラップ２に位置する端部を結ぶ蓋端折線８と、２本の切込６の蓋フラップ２に位置する中間部を結ぶ１本の蓋中折線９とから成る物品取出補助機構５を備える。側端折線７と蓋中折線９は、逆折方向への折線とし、蓋端折線８は、順折方向への折線とし、側端折線７と蓋中折線９の逆折方向への折曲抵抗を、稜罫線２ａと蓋端折線８の順折方向への折曲抵抗よりも小さく設定し、蓋中折線９は、稜罫線２ａと蓋端折線８の中央よりも稜罫線２ａ寄りに位置しているものとする。【選択図】図２
2019127267.tif 000002
【特許請求の範囲】
【請求項１】
胴部を形成する側板(1)に稜罫線(2a)を介して蓋フラップ(2)が連設され、物品梱包時には、前記蓋フラップ(2)が内側へ折り曲げられて天面が閉じられ、物品取出時には、前記蓋フラップ(2)が外側へ折り曲げられて天面が開かれる段ボール箱において、
物品取出補助機構(5)として、前記側板(1)と前記蓋フラップ(2)とに及ぶ２本の切込(6)と、前記２本の切込(6)の前記側板(1)に位置する端部を結ぶ側端折線(7)と、前記２本の切込(6)の前記蓋フラップ(2)に位置する端部を結ぶ蓋端折線(8)と、前記２本の切込(6)の前記蓋フラップ(2)に位置する中間部を結ぶ１本の蓋中折線(9)とから成るものを備え、
前記側端折線(7)と前記蓋中折線(9)は、物品取出時に段ボールの表面側が劣角となり裏面側が優角となるように折れ曲がる逆折方向への折線とされ、
前記蓋端折線(8)は、物品取出時に段ボールの表面側が優角となり裏面側が劣角となるように折れ曲がる順折方向への折線とされ、
前記側端折線(7)と前記蓋中折線(9)の逆折方向への折曲抵抗が、前記稜罫線(2a)と前記蓋端折線(8)の順折方向への折曲抵抗よりも小さく設定され、
前記蓋中折線(8)は、前記稜罫線(2a)と前記蓋端折線(8)の中央よりも前記稜罫線(2a)寄りに位置していることを特徴とする物品取出補助機構を備えた段ボール箱。
【請求項２】
前記２本の切込(6)は、前記側端折線(7)で結ばれた端部から前記蓋端折線(8)で結ばれた端部へかけてテーパー状に間隔が広がっていることを特徴とする請求項１に記載の物品取出補助機構を備えた段ボール箱。
【請求項３】
前記側端折線(7)と前記蓋中折線(9)は、少なくとも段ボールの裏面側が切り込まれた切目加工が施され、前記稜罫線(2a)と前記蓋端折線(8)は、段ボールの裏面側から押圧された押罫とされて、それぞれ折曲抵抗が設定されていることを特徴とする請求項１又は２に記載の物品取出補助機構を備えた段ボール箱。
【発明の詳細な説明】
【技術分野】
【０００１】
この発明は、隙間なく詰められた物品を容易に取り出せるようにするための物品取出補助機構を備えた段ボール箱に関するものである。
【背景技術】
【０００２】
段ボール箱に物品を隙間なく詰めると、物品の取り出しが困難になるため、下記特許文献１においては、物品を容易に取り出せるように加工した段ボール箱が提案されている。
【０００３】
この段ボール箱は、図９に示すように、胴部を形成するそれぞれの側板５１の上端に稜罫線５２ａを介して蓋フラップ５２が連設され、物品梱包時には、蓋フラップ５２が内側へ折り曲げられて天面が閉じられ、物品取出時には、蓋フラップ５２が外側へ折り曲げられて天面が開かれるいわゆるＡ式のものであり、側板５１と蓋フラップ５２の境界に跨る物品取出補助機構５３を備えている。
【０００４】
物品取出補助機構５３は、側板５１と蓋フラップ５２とに及ぶ２本の平行な線状の切込５４と、２本の切込５４の側板５１に位置する端部間を結ぶ側端折線５５と、２本の切込５４の蓋フラップ５２に位置する端部間を結ぶ蓋端折線５６と、２本の切込５４の蓋フラップ５２に位置する中間部間を結ぶ２本の蓋中折線５７とから構成されている。
【０００５】
また、側端折線５５と蓋端折線５６とは、物品取出時に段ボールの表面側が劣角となり裏面側が優角となるように折れ曲がる逆折方向への折線とされ、２本の蓋中折線５７は、物品取出時に段ボールの表面側が優角となり裏面側が劣角となるように折れ曲がる順方向への折線とされている。
【０００６】
なお、劣角及び優角とは、次のようなものである。すなわち、互いに反対側にある二つの角である共役角のうち、劣角は１８０°より小さい角であり、優角は１８０°より大きい角である。
【０００７】
このような段ボール箱では、物品Ｇが隙間なく詰められていても、蓋フラップ５２を外側へ折り曲げ、天面を開いたとき、２本の切込５４に挟まれた部分が外側へ張り出すようにすると、側板５１の２本の切込５４間の部分と物品Ｇとの間に隙間ができるので、その隙間に手を入れて、物品Ｇを比較的容易に取り出すことができる。
【先行技術文献】
【特許文献】
【０００８】
【特許文献１】特開２０１１−２４０９６４号公報
【発明の概要】
【発明が解決しようとする課題】
【０００９】
しかしながら、上記のような段ボール箱では、物品Ｇを取り出す際、蓋フラップ５２を外側へ折り曲げたとき、２本の切込５４に挟まれた部分が蓋フラップ５２のその他の部分と同様に稜罫線５２ａに沿って折れ曲がってしまう可能性が高いため、物品取出補助機構５３を確実に機能させるためには、２本の切込５４に挟まれた部分を段ボールの裏面側から外側へ指で押さなければならないという問題があった。
【００１０】
そこで、この発明は、隙間なく詰められた物品を簡単な手順で容易に取り出すことができる段ボール箱を提供しようとするものである。
【課題を解決するための手段】
【００１１】
上記のような課題を解決するため、この発明は、胴部を形成する側板に稜罫線を介して蓋フラップが連設され、物品梱包時には、前記蓋フラップが内側へ折り曲げられて天面が閉じられ、物品取出時には、前記蓋フラップが外側へ折り曲げられて天面が開かれる段ボール箱において、
物品取出補助機構として、前記側板と前記蓋フラップとに及ぶ２本の切込と、前記２本の切込の前記側板に位置する端部を結ぶ側端折線と、前記２本の切込の前記蓋フラップに位置する端部を結ぶ蓋端折線と、前記２本の切込の前記蓋フラップに位置する中間部を結ぶ１本の蓋中折線とから成るものを備え、
前記側端折線と前記蓋中折線は、物品取出時に段ボールの表面側が劣角となり裏面側が優角となるように折れ曲がる逆折方向への折線とされ、
前記蓋端折線は、物品取出時に段ボールの表面側が優角となり裏面側が劣角となるように折れ曲がる順折方向への折線とされ、
前記側端折線と前記蓋中折線の逆折方向への折曲抵抗が、前記稜罫線と前記蓋端折線の順折方向への折曲抵抗よりも小さく設定され、
前記蓋中折線は、前記稜罫線と前記蓋端折線の中央よりも前記稜罫線寄りに位置しているものとし、
物品取出時に、前記蓋フラップを外側へ折り曲げると、２本の切込に挟まれた部分が蓋中折線を頂部として隆起するようにしたのである。
【００１２】
また、前記２本の切込は、前記側端折線で結ばれた端部から前記蓋端折線で結ばれた端部へかけてテーパー状に間隔が広がっているものとし、前記蓋フラップを外側へ折り曲げる際、切込に臨む端縁同士の分離が速やかに生じて摩擦が低減されるようにし、上述の隆起を促進するようにしたのである。
【００１３】
また、前記側端折線と前記蓋中折線は、少なくとも段ボールの裏面側が切り込まれた切目加工が施され、前記稜罫線と前記蓋端折線は、段ボールの裏面側から押圧された押罫とされて、それぞれ折曲抵抗が設定されているものとし、蓋フラップの外側への折り曲げに伴い、側端折線と蓋中折線が逆折方向へ折れ曲がる確実性が高まるようにしたのである。
【発明の効果】
【００１４】
この発明に係る物品取出補助機構を備えた段ボール箱では、隙間なく詰められた物品を取り出す際、蓋フラップを外側へ折り曲げると、自動的に、側端折線と蓋中折線は逆折方向へ折れ曲がり、蓋端折線は順折方向へ折れ曲がって、２本の切込に挟まれた部分が蓋中折線を頂部として山形状に隆起する。
【００１５】
これに伴い、側板の２本の切込間の部分と物品との間に隙間ができるので、その隙間に手を入れて、物品を容易に取り出すことができる。
【図面の簡単な説明】
【００１６】
【図１】この発明の第１実施形態に係る物品取出補助機構を備えた段ボール箱の封緘状態を示す斜視図
【図２】同上の物品取出時の状態を示す斜視図
【図３】同上の縦断側面図
【図４】同上の段ボール箱のブランクを示す図
【図５】同上の物品取出補助機構の拡大図
【図６】この発明の第２実施形態に係る物品取出補助機構を備えた段ボール箱の封緘状態を示す斜視図
【図７】同上の物品取出時の状態を示す斜視図
【図８】同上の段ボール箱のブランクを示す図
【図９】特許文献１に記載の物品取出補助機構を備えた段ボール箱の物品取出時の状態を示す斜視図
【発明を実施するための形態】
【００１７】
以下、この発明の実施形態を添付図面に基づいて説明する。
【００１８】
図１に示す第１実施形態に係る段ボール箱は、封緘状態で直方体となるいわゆるＡ式のものであり、図４に示す段ボールのブランクから形成される。
【００１９】
図４に示すブランクでは、横方向の寸法が長い面（長さ面）を形成する側板１と、横方向の寸法が短い面（幅面）を形成する側板１とが各一対交互に横一列に連設され、それぞれの側板１の上端に蓋フラップ２が、下端に底フラップ３が連設されている。また、一方の長さ面の側板１の外側端に継代４が連設されている。
【００２０】
側板１と蓋フラップ２の境界には、稜罫線２ａが入れられ、稜罫線２ａは、段ボールを裏面側から押圧した押罫線とされている。このように、段ボールを裏面側から押圧した押罫線は、通常の折曲時に、段ボールの表面側が優角となり裏面側が劣角となるように折れ曲がる順折方向への折線となるものである。
【００２１】
なお、劣角及び優角とは、上述したように、次のようなものである。すなわち、互いに反対側にある二つの角である共役角のうち、劣角は１８０°より小さい角であり、優角は１８０°より大きい角である。
【００２２】
そして、一対の長さ面の側板１と蓋フラップ２の境界に跨るように、物品取出補助機構５を備えている。
【００２３】
物品取出補助機構５は、図５に示すように、側板１と蓋フラップ２とに及ぶ２本の切込６と、２本の切込６の側板１に位置する端部間を結ぶ側端折線７と、２本の切込６の蓋フラップ２に位置する端部間を結ぶ蓋端折線８と、２本の切込６の蓋フラップ２に位置する中間部間を結ぶ１本の蓋中折線９とから構成される。
【００２４】
２本の切込６は、段ボールの表裏に貫通する全切線とされ、側端折線７で結ばれた端部から蓋端折線８で結ばれた端部へかけて、テーパー状に間隔が広がっている。
【００２５】
側端折線７と蓋中折線９は、段ボールを表裏に貫通する切目が断続的に入れられたミシン目とされ、物品取出時に段ボールの表面側が劣角となり裏面側が優角となるように折れ曲がることを予定した逆折方向への折線とされている。
【００２６】
なお、側端折線７と蓋中折線９は、切目が断続するミシン目に替えて、長さ方向に連続するように、段ボールを裏面側から厚さ方向の途中まで切り込んだ切目加工を施し、いわゆる半切線としてもよい。
【００２７】
蓋端折線８は、稜罫線２ａと同様、段ボールを裏面側から押圧した押罫線とされ、物品取出時に段ボールの表面側が優角となり裏面側が劣角となるように折れ曲がることを予定した順折方向への折線とされている。
【００２８】
このように、側端折線７と蓋中折線９をミシン目とし、蓋端折線８を押罫とすることにより、側端折線７と蓋中折線９の逆折方向への折曲抵抗が、稜罫線２ａと蓋端折線８の順折方向への折曲抵抗よりも小さくなるように設定されている。
【００２９】
蓋中折線９は、稜罫線２ａと蓋端折線８の中央よりも稜罫線２ａ寄りに位置しており、蓋端折線８と蓋中折線９の間隔Ａは、蓋中折線９と稜罫線２ａの間隔Ｂの１．５倍の長さとされている。
【００３０】
このような段ボール箱のブランクは、使用に先立って、組立時に対角に位置する側板１の境界に沿って折り曲げ、継代４を他端側に貼り付けておく。
【００３１】
そして、物品を梱包する際、図１に示すように、胴部を形成するように側板１の境界を折り曲げる。次に、段ボールの表面に逆折りの痕跡を残さないため、蓋フラップ２を幅面及び長さ面の順に内側へ折り曲げて天面を閉じ、テープＴや接着剤により固定した後、底面から物品を収納し、底フラップ３を内側へ折り曲げて底面を閉じる。
【００３２】
一方、図２及び図３に示すように、隙間なく詰められた物品Ｇを取り出す際には、蓋フラップ２を外側へ折り曲げる。
【００３３】
これに伴い、自動的に、側端折線７と蓋中折線９は逆折方向へ折れ曲がり、蓋端折線８は順折方向へ折れ曲がって、２本の切込６に挟まれた部分が蓋中折線９を頂部として山形状に隆起し、側板１の２本の切込６に挟まれた部分と物品Ｇとの間に隙間ができるので、その隙間に手を入れて、物品Ｇを容易に取り出すことができる。
【００３４】
このとき、２本の切込６は、側端折線７で結ばれた端部から蓋端折線８で結ばれた端部へかけてテーパー状に間隔が広がっているので、蓋フラップ２を外側へ折り曲げる際、切込６に臨む端縁同士の分離が速やかに生じて摩擦が低減され、２本の切込６に挟まれた部分の蓋中折線９を頂部とする隆起が促進される。
【００３５】
また、側端折線７と蓋中折線９は、段ボールの裏面側から押圧した押罫の蓋端折線８に対して、段ボールの表裏に貫通する切目を断続的に入れたミシン目とされているので、逆折方向へ折れ曲がる確実性が高められる。
【００３６】
さらに、蓋中折線９が稜罫線２ａと蓋端折線８の中央よりも稜罫線２ａ寄りに位置しているので、蓋中折線９が逆折方向へ折れ曲がって、２本の切込６に挟まれた部分の蓋中折線９を頂部とする隆起が促進される。
【００３７】
特に、この実施形態のように、蓋端折線８と蓋中折線９の間隔Ａが蓋中折線９と稜罫線２ａの間隔Ｂの１．５倍の長さとなるようにしておくと（図５参照）、上述の隆起が最も生じやすくなる。
【００３８】
なお、蓋中折線９は、稜罫線２ａと蓋端折線８の中央よりも蓋端折線８寄りに位置していた場合、蓋中折線９が逆折方向へ折れ曲がらず、稜罫線２ａに沿って折れ曲がってしまうことが様々な条件での試作により確かめられている。
【００３９】
ところで、上記第１実施形態に係る段ボール箱は、物品取出補助機構５を長さ面に備えているが、物品取出補助機構５は、図６乃至図８に示す第２実施形態に係る段ボール箱のように、幅面に備えてもよい。
【００４０】
この場合、側板１おける２本の切込６の間隔は、テープＴの幅より広く確保しておく必要がある。また、テープＴの先端部が側端折線７に被さらないように、２本の切込６を側板１の上端からある程度深く切り込んでおく必要がある。これにより、開梱時に、側端折線７での折れ曲がりが妨げられることがなく、物品を容易に取り出せる。
【００４１】
このように、幅面に物品取出補助機構５を備えた場合、長さ面に物品取出補助機構５を備えた場合よりも、封緘状態における圧縮強度の低下が少ないことが圧縮試験により確かめられている。その理由は、天面において、内側の蓋フラップ２の２本の切込６が入れられた部分に外側の蓋フラップ２が被さるからではないかと推測される。
【符号の説明】
【００４２】
１  側板
２  蓋フラップ
２ａ  稜罫線
３  底フラップ
４  継代
５  物品取出補助機構
６  切込
７  側端折線
８  蓋端折線
９  蓋中折線
Ｇ  物品
Ｔ  テープ
【図１】
2019127267.tif 000003
【図２】
2019127267.tif 000004
【図３】
2019127267.tif 000005
【図４】
2019127267.tif 000006
【図５】
2019127267.tif 000007
【図６】
2019127267.tif 000008
【図７】
2019127267.tif 000009
【図８】
2019127267.tif 000010
【図９】
2019127267.tif 000011